【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】
双方向無線周波数通信を用いるビルディング監視システムであって、
無線周波数送信機および受信機を含む少なくとも１つのマスタ・ユニットと、
無線周波数送信機および受信機を有し、前記マスタ・ユニットへの送信および前記マスタ・ユニットからの受信が可能な複数のリモート・ユニットと、
を備え、
前記マスタ・ユニットが、前記リモート・ユニットのそれぞれに対して衝突しない所定の通信時間を提供するマスタ・スケジューラを含み、前記リモート・ユニットが、コントローラに接続されたタイマを有し、前記リモート・ユニットが前記所定の通信時間に前記マスタ・ユニットと通信することを可能にする、
ビルディング監視システム。
【請求項２】
双方向ビルディング監視システムであって、
データのワイヤレス送信および受信のための手段を含む少なくとも１つのマスタ・ユニットと、
複数のリモート・ユニットであって、各リモート・ユニットが、前記マスタ・ユニットへのデータのワイヤレス送信のための手段と、前記マスタ・ユニットからのデータのワイヤレス受信のための手段とを含み、前記リモート・ユニットが外部状態を検知して外部センサ・データを生成する手段を更に含む、リモート・ユニットと、
前記リモート・ユニットから前記マスタ・ユニットへの周期的な送信のスケジュールを計算する手段と、
前記マスタ・ユニットから前記リモート・ユニットへ送信するための前記手段に含まれる、前記スケジュールの少なくとも一部を前記リモート・ユニットへ送信する手段と、
前記スケジュールに基づいて前記リモート・ユニットが前記外部センサ・データを前記マスタ・ユニットへ送信することを可能にする、前記リモート・ユニットにおけるタイミング手段と
を備える双方向ビルディング監視システム。
【請求項３】
無線周波数送信機および受信機を含む少なくとも１つのマスタ・ユニットと、無線周波数送信機および受信機を有し、前記マスタ・ユニットとのメッセージの送信および受信が可能な複数のリモート・ユニットとを有するビルディング監視システムにおける、マスタ・ユニットとリモート・ユニットが通信することを可能にする方法であって、
ａ．  それぞれの前記リモート・ユニットが前記マスタ・ユニットと通信するためのそれぞれのリモート・ユニット通信時間を、それぞれの前記リモート・ユニット通信時間が互いに衝突しないように、決定するステップと、
ｂ．  それぞれの前記リモート・ユニット通信時間を、対応するリモート・ユニットへ送信するステップと、
ｃ．  それぞれの前記リモート・ユニットに関して前記リモート・ユニット通信時間が到着したときにそれを検出するステップと、
ｄ．  それぞれの前記リモート・ユニット通信時間が検出されたときに、対応するリモート・ユニットと前記マスタ・ユニットとの間でメッセージの通信を行うステップと
を備える方法。
【請求項４】
ビルディング監視システムのリモート・ユニットの無線周波数メッセージ送信をスケジュールする方法であって、
ａ．  無線周波数トランシーバおよび該トランシーバを動作させるコントローラを含む少なくとも１つのマスタ・ユニットを提供するステップと、
ｂ．  複数のリモート・ユニットを提供するステップであって、前記リモート・ユニットは、前記マスタ・ユニットのトランシーバへの送信が可能であり、前記マスタ・ユニットのトランシーバからの受信が可能である無線周波数トランシーバを含み、前記リモート・ユニットは、ターゲット送信期間を有するものである、複数のリモート・ユニットを提供するステップと、
ｃ．  前記リモート・ユニットに対する所定のリモート・ユニット送信時間のマスタ・スケジュールを計算するための、前記マスタ・ユニットにおける計算手段を提供するステップであって、前記所定のリモート・ユニット送信時間は、少なくとも部分的に、前記リモート・ユニットのターゲット送信期間に基づくものであり、前記所定の送信時間の間での衝突を避けるようにされる、ステップと、
ｄ．  少なくとも部分的に前記リモート・ユニットのターゲット送信期間に基づいて、所定のリモート・ユニット送信時間の前記マスタ・スケジュールを計算するステップと、
ｅ．  前記マスタ・ユニットから前記リモート・ユニットへ前記マスタ・スケジュールに基づいてタイミング命令を送信するステップと、
ｆ．  前記タイミング命令に基づく時間に前記リモート・ユニットから前記マスタ・ユニットへメッセージを送信するステップと
を備える方法。
【請求項５】
請求項４記載の方法であって、前記計算手段は、実行可能なコンピュータ・プログラムを含み、該プログラムに基づいて実行されるステップが、
前記リモート・ユニットから得たデータから前記リモート・ユニット・ターゲット期間を導出するステップと、
最大ターゲット期間をセットするステップと、
最大リモート・ユニット送信持続期間を決定するステップと、
前記最大ターゲット期間を前記最大ターゲット持続期間により除算して、割り当てるエレメントの数を得るステップと、
少なくとも前記の数のエレメントを有するデータ構造を作成するステップと、
それぞれのリモート・ユニットに対し、１つのエレメントで開始し、利用可能な時間を有するバケットをリモート・ユニット識別子で満たし、次に、前記リモート・ユニット・ターゲット期間の時間について先へスキップし、そして、別のエレメントを前記リモート・ユニット識別子で満たし、そして前記最大ターゲット期間をカバーするまで繰り返すステップと
を含むこと、
を特徴とする方法。
【請求項６】
双方向性の無線周波数のビルディング監視システムのマスタ・ユニットを作動する方法であって、前記システムは、トランシーバに結合したコントローラを有する少なくとも１つのマスタ・ユニットと、各々がトランシーバを有する複数のリモート・ユニットとを含み、前記マスタ・ユニットは、コンピュータ・プロセッサと、時間的に順序付けたデータ構造とを有し、該データ構造は複数のエレメントを含み、該データ構造のエレメントは所定の送信時間を有し、該所定の送信時間は、所定の送信時間を有する前記リモート・ユニットの各々に対しての少なくとも１つの所定の送信時間を含むものである、前記方法において、少なくとも、
ａ．  前記データ構造を、および前記リモート・ユニットの所定の時間のうちの少なくとも１つを有する各々のデータ構造のエレメントに対して、トラバースするステップと、
ｂ．  前記データ構造のエレメントに関連する前記リモート・ユニットからの送信か、または前記リモート・ユニットからの送信を受信しないでのタイムアウトかの、いずれかを待つステップと、
ｃ．  前記リモート・ユニットから前記送信を受信すると、受信した前記送信に対するアクノレッジを送信し、そして、次のリモート送信のための時間信号であって、前記エレメントに含まれる前記所定の送信時間と一致した時間信号を送信し、そして、次の時間的に順序付けされた前記データ構造のエレメントへと進み、そしてステップｂを実行するステップと、
ｄ．  前記リモート・ユニットから前記送信を受信せずにタイムアウトとなると、次の時間的に順序付けされた前記データ構造のエレメントへと進み、そしてステップｂを実行するステップと、
を前記コンピュータ・プロセッサが実行するステップを備える、
ことを特徴とする作動方法。